(57)【特許請求の範囲】
【請求項１】
画像を表示する表示部と、
前記表示部に対して設けられ、使用者の入力を受け付け、複数のタッチされている位置を検知するためのタッチパネル部と、を含み、
前記タッチパネル部で同時に２点のタッチがあったとき、
前記表示部はタッチされた２点の位置関係が縦方向であるとき、機能を示す画像を複数個横方向に一列に並べた機能選択メニューを表示し、タッチされた２点の位置関係が横方向であるとき、機能を示す画像を複数個縦方向に一列に並べた前記機能選択メニューを表示し、
前記タッチパネル部はタッチされた２点のうち１点の位置を移動させる操作を、前記機能選択メニュー内で選択されている機能を変更する入力として受け付けることを特徴とする表示入力装置。
【請求項２】
前記タッチパネル部は、タッチされている点が無くなったこと、又は、予め定められた入力操作を、前記機能選択メニュー内で選択状態にあった機能への移動を指示する入力として受け付けることを特徴とする請求項１に記載の表示入力装置。
【請求項３】
前記表示部は最上位の階層に位置する画面として、実行する機能を選択するためのキーを複数含むホーム画面を表示し、キーが表示されている位置がタッチされることにより実行する機能の指定を前記タッチパネル部が受け付けたとき、実行が指定された機能の設定画面を表示することを特徴とする請求項１又は２に記載の表示入力装置。
【請求項４】
タッチされた２点の位置関係を認識するための判断部を含み、
前記判断部はタッチされた２点のうち一方の点を基準点とし、基準点に対する他方の点が予め定められた角度範囲内に含まれるか否かによってタッチされた２点の位置関係が縦方向であるか横方向であるかを判断し、
前記表示部は前記判断部の判断結果に応じて前記機能選択メニューを表示することを特徴とする請求項１乃至３のいずれか１項に記載の表示入力装置。
【請求項５】
タッチされた２点の位置関係を認識するための判断部を含み、
前記判断部はタッチされた２点の縦方向での距離と横方向での距離を比較し、横方向での距離の方が長ければ２点の位置関係が横方向であると判断し、縦方向での距離の方が長ければ２点の位置関係が縦方向であると判断し、
前記表示部は前記判断部の判断結果に応じて前記機能選択メニューを表示することを特徴とする請求項１乃至３のいずれか１項に記載の表示入力装置。
【請求項６】
請求項１乃至５のいずれか１項に記載の表示入力装置を含むことを特徴とする画像形成装置。
【発明の詳細な説明】
【技術分野】
【０００１】
本発明は表示部やタッチパネル部を有する表示入力装置、及び、これを備えた画像形成装置に関する。
【背景技術】
【０００２】
複写機、複合機、プリンター、ＦＡＸ装置等の画像形成装置には、表示入力装置（例えば、操作パネル）が設けられる。例えば、使用者は表示入力装置に表示されたキーなどを指定する入力を行い、所望する結果が得られるように各種の設定入力を行う。従来、タッチパネルへの２点押しの操作は排除されていたが、近年では、２点のタッチ操作を入力の一態様として受け付ける装置が存在する。このような、２点タッチ入力を受け付ける表示装置の一例が特許文献１に記載されている。
【０００３】
具体的に、特許文献１には、複数の映像を表示する表示デバイス、表示デバイスの前面に設けられ、所定時間内に２点に対して行われたタッチ操作の態様を表す情報を出力するタッチパネル、タッチパネルの情報出力値に基づいてタッチ操作に係る２点の位置座標を算出すると共に、２点の位置座標により定義される線分の方向及び長さを算出する線分算出手段、線分算出手段の算出結果に基づいて表示デバイスの映像表示形態を変更する表示変更手段と、を備え、表示変更手段は、線分算出手段により算出された線分の方向が縦又は横であり、かつ、表示デバイスにオンスクリーンメニューが表示されていないとき、表示デバイスに新たなオンスクリーンメニュー（ソフトキー）を表示する表示装置（ナビゲーション装置）が記載されている。この構成により、２点押しのタッチ操作を映像表示形態に利用しようとする（特許文献１：請求項１、請求項５、段落［０００６］等参照）。
【先行技術文献】
【特許文献】
【０００４】
【特許文献１】特開２００７−２４１４１０号公報
【発明の概要】
【発明が解決しようとする課題】
【０００５】
ある機能を設定してから異なる他の機能の設定を行うとき、目的とする機能の設定画面に到るため、例えば、現在の階層から上の階層へ戻る操作が求められることがある。この場合、上位の階層の画面で所望する機能を選択する。このように、目的とする機能の設定画面に到るには、複数回の画面の切り替え入力と表示部に表示される画面の切り替えが必要となる。
【０００６】
所望の機能を設定できる状態となるまでの手間を減らすため、いきなりカテゴリーの異なる機能の設定画面を表示させたり、現在の表示（階層位置）から所望の機能の設定画面に向けて、いくつかの階層移動をショートカットできるようにしたりすることが考えられる。しかし、従来、パネルへの２点押しの操作は排除されていたため、２点をタッチした指を用いて、所望する（移動したい）機能を容易に選択できるようになっていない。従って、そのため、使用者が所望する機能を２本の指を用いて直感的に選択しづらいという問題がある。
【０００７】
尚、特許文献１をみると、特許文献１記載の表示装置では、２点押しのタッチ操作があったとき、オンスクリーンメニュー（ソフトキー１３２）の表示方向が縦であれば横、横であれば縦に表示方向を切り替えることが記載されている（特許文献１：段落［００３５］参照）。しかし、特許文献１記載の表示装置では、２点押しのタッチ操作があったときに、縦から横、横から縦と一律で表示方向を切り替えるに過ぎない、従って、特許文献１記載の技術では上記の問題を解決できない。
【０００８】
本発明は上記の問題点に鑑み、２点タッチに用いた指の動かしやすい方向に沿ってメニューを表示することで、２点をタッチした指を用いてメニューから所望する機能を直感的に選択しやすくし、表示入力装置を使いやすくすることを課題とする。
【課題を解決するための手段】
【０００９】
上記課題解決のため請求項１に係る表示入力装置は、画像を表示する表示部と、前記表示部に対して設けられ、使用者の入力を受け付け、複数のタッチされている位置を検知するためのタッチパネル部と、を含み、前記タッチパネル部で同時に２点のタッチがあったとき、前記表示部はタッチされた２点の位置関係が縦方向であるとき、機能を示す画像を複数個横方向に一列に並べた機能選択メニューを表示し、タッチされた２点の位置関係が横方向であるとき、機能を示す画像を複数個縦方向に一列に並べた前記機能選択メニューを表示し、前記タッチパネル部はタッチされた２点のうち１点の位置を移動させる操作を、前記機能選択メニュー内で選択されている機能を変更する入力として受け付けることとした。
【００１０】
この構成によれば、タッチパネル部で同時に２点のタッチがあったとき、表示部は機能選択メニューを表示する。これにより、２点タッチを行うという簡易な操作だけで機能選択メニューを呼び出すことができる。
【００１１】
そして、２点タッチのときの指の配置は様々であるところ、タッチされた２点が縦方向であれば、２点をタッチした指（例えば、親指と人差し指）をタッチパネル部に触れさせつつ（２点がタッチされ続けていて）、一方をほぼ固定して他方の指を動かすとき、払うように他方の指を動かせるので、横方向に他方の指は動かしやすい。又、同様に、タッチされた２点が横方向であれば、２点をタッチした指（例えば、人差し指と中指）をタッチパネル部に触れさせつつ、一方を固定して他方の指を動かすときは、縦方向に他方の指は動かしやすい。そこで、この構成によれば、表示部は、タッチされた２点の位置関係が縦方向であるとき、機能を示す画像を複数個横方向に一列に並べた機能選択メニューを表示し、タッチされた２点の位置関係が横方向であるとき、機能を示す画像を複数個縦方向に一列に並べた機能選択メニューを表示し、タッチパネル部は、タッチされた２点のうち１点を移動させる操作を、機能選択メニュー内で選択されている機能を変更する入力として受け付ける。
【００１２】
これにより、２点タッチされたときの指の配置に応じて、指を動かしやすい方向に沿って機能選択メニューを表示することができる。そして、機能選択メニューから機能を選択するとき、指を動かすべき方向は機能選択メニューの表示の方向（長手方向）であると使用者に直感的に認識させることができる。そして、一方の指をほぼ固定したまま、使用者は動かしやすい方向にタッチパネル部を一方の指でなぞる操作を行えば、機能選択メニューのうち選択されている状態の機能を所望の機能に変更することができる。
【００１３】
従って、使用者は２点タッチから連続して機能を選択する入力を行うことができる。又、機能を選択する操作で使用者に負担がかからない。又、その時々で２点タッチの指の配置や用いる指が異なっても、２点タッチの使用者の癖に柔軟に対応しつつ、指使いが容易となるように機能選択メニューを表示することができる。又、機能選択メニューを使いやすくするために、使用者ごとに機能選択メニューの表示方向を設定する必要も無い。又、機能選択メニューの表示方向を気にせずに気軽に所望の機能を選択することができる。又、機能選択メニューによって所望の機能を選択できるので、機能選択メニューで選択できる機能のハードキーを設ける必要が無く、表示入力装置の製造コストを下げ、表示入力装置を小型化することができる。
【００１４】
又、請求項２に係る発明は、請求項１の発明において、前記タッチパネル部はタッチされている点が無くなったこと、又は、予め定められた入力操作を、前記機能選択メニュー内で選択状態にあった機能への移動を指示する入力として受け付けることとした。
【００１５】
この構成によれば、タッチパネル部は、タッチされている点が無くなったこと、又は、予め定められた入力操作を、機能選択メニュー内で選択状態にあった機能への移動を指示する入力として受け付ける。これにより、使用者が一方の指をほぼ固定しつつ、他方の指を動かして選択状態にした機能の設定画面を表示部に表示させることができる。
【００１６】
又、請求項３に係る発明は請求項１又は２の発明において、前記表示部は最上位の階層に位置する画面として、実行する機能を選択するためのキーを複数含むホーム画面を表示し、キーが表示されている位置がタッチされることにより実行する機能の指定を前記タッチパネル部が受け付けたとき、実行が指定された機能の設定画面を表示することとした。
【００１７】
この構成によれば、表示部は最上位の階層に位置する画面として、実行する機能を選択するためのキーを複数含むホーム画面を表示し、キーが表示されている位置がタッチされることによりタッチパネル部が実行する機能の指定を受け付けたとき、実行が指定された機能の設定画面を表示する。これにより、ホーム画面で使用したい機能を入力する表示入力装置において、ホーム画面を経ないで、２点タッチにより呼び出した機能選択メニューを用いて、所望する機能の設定画面に移動することができる。例えば、コピー機能や送信機能など、用いる機能を選択するホーム画面が設けられていても、機能選択メニューを用いることで、カテゴリーの異なる機能の設定画面に直接移動することができる。
【００１８】
又、請求項４に係る発明は、請求項１乃至３の発明において、タッチされた２点の位置関係を認識するための判断部を含み、前記判断部はタッチされた２点のうち一方の点を基準点とし、基準点に対する他方の点が予め定められた角度範囲内に含まれるか否かによってタッチされた２点の位置関係が縦方向であるか横方向であるかを判断し、前記表示部は前記判断部の判断結果に応じて前記機能選択メニューを表示することとした。
【００１９】
この構成によれば、判断部はタッチされた２点のうち一方の点を基準点とし、基準点に対する他方の点が予め定められた角度範囲内に含まれるか否かによってタッチされた２点の位置関係が縦方向であるか横方向であるかを判断する。これにより、適切にタッチされた２点の位置関係（縦方向であるか横方向であるか）を判断することができる。
【００２０】
又、請求項５に係る発明は、請求項１乃至３の発明において、タッチされた２点の位置関係を認識するための判断部を含み、前記判断部はタッチされた２点の縦方向での距離と横方向での距離を比較し、横方向での距離の方が長ければ２点の位置関係が横方向であると判断し、縦方向での距離の方が長ければ２点の位置関係が縦方向であると判断し、前記表示部は前記判断部の判断結果に応じて前記機能選択メニューを表示することとした。
【００２１】
この構成によれば、判断部はタッチされた２点の縦方向での距離と横方向での距離を比較し、横方向での距離の方が長ければ２点の位置関係が横方向であると判断し、縦方向での距離の方が長ければ２点の位置関係が縦方向であると判断する。これにより、適切にタッチされた２点の位置関係（縦方向であるか横方向であるか）を判断することができる。
【００２２】
又、請求項６に係る画像形成装置は、請求項１乃至５のいずれか１項に記載の表示入力装置を含むこととした。
【００２３】
この構成によれば、画像形成装置は使いやすい表示入力装置を含む。従って、使用者にとって使いやすい画像形成装置を提供することができる。
【発明の効果】
【００２４】
上述したように、本発明によれば、表示入力装置のタッチパネル部の２点タッチに用いた指の動かしやすい方向に沿ってメニューを表示する。これにより、２点をタッチした指を用いてメニューから所望する機能を直感的に選択しやすくすることができる。そして、使いやすい表示入力装置や画像形成装置を提供することができる。
【図面の簡単な説明】
【００２５】
【図１】複合機の一例を示す正面模型的断面図である。
【図２】操作パネルの一例を示す平面図である。
【図３】複合機や操作パネルのハードウェア構成の一例を示すブロック図である。
【図４】操作パネルに表示されるホーム画面の一例を示す説明図である。
【図５】コピー機能の初期設定画面の一例を示す説明図である。
【図６】ボックス機能の初期設定画面の一例を示す説明図である。
【図７】スキャン送信機能の初期設定画面の一例を示す説明図である。
【図８】２点の角度に基づきタッチされている２点の縦と横の位置関係の判断の一例を示す説明図である。
【図９】２点の距離に基づきタッチされている２点の縦と横の位置関係の判断の一例を示す説明図である。
【図１０】縦方向での２点タッチの一例を示す説明図である。
【図１１】縦方向での２点タッチに応じて表示される機能選択メニューの一例を示す説明図である。
【図１２】機能選択メニュー内で選択されている機能の変更操作の一例を示す説明図である。
【図１３】横方向での２点タッチの一例を示す説明図である。
【図１４】横方向での２点タッチに応じて表示される機能選択メニューの一例を示す説明図である。
【図１５】機能選択メニュー内で選択されている機能の変更操作の一例を示す説明図である。
【図１６】２点タッチがあったときの機能選択の処理の流れの一例を示すフローチャートである。
【発明を実施するための形態】
【００２６】
以下、図１〜図１６を用い、実施形態を説明する。以下では、操作パネル１（表示入力装置に相当）を含む複合機１００（画像形成装置に相当）を例に挙げ説明する。但し、本実施の形態に記載されている構成、配置等の各要素は、発明の範囲を限定せず、単なる説明例にすぎない。
【００２７】
（画像形成装置の概略）
まず、図１を用い、実施形態に係る複合機１００の概略を説明する。図１は複合機１００の一例を示す正面模型的断面図である。
【００２８】
図１に示すように、複合機１００の正面前方には、複合機１００に関して各種設定を行うための操作パネル１が設けられる（詳細は後述）。又、図１に示すように、本実施形態の複合機１００は、上部に、画像読取部２ａと原稿搬送部２ｂが設けられ、内部に、給紙部３ａ、搬送部３ｂ、画像形成部４、中間転写部５ａ、定着部５ｂ、排出搬送部３ｃ、両面搬送部３ｄ等を備える。
【００２９】
原稿搬送部２ｂは原稿トレイ２１を有する。コピーやスキャンを行う原稿は原稿トレイ２１に載置される。そして、原稿搬送部２ｂは原稿トレイ２１から原稿を１枚ずつ、自動的に連続して読取位置（送り読取用コンタクトガラス２２）に搬送する。又、原稿搬送部２ｂは図１の紙面奥側を支点として画像読取部２ａに上下方向に開閉自在に取り付けられる。原稿搬送部２ｂは画像読取部２ａのコンタクトガラス（送り読取用コンタクトガラス２２及び載置読取用コンタクトガラス２３）を上方から押さえるカバーとして機能する。
【００３０】
図１に示すように、画像読取部２ａの上面には、送り読取用コンタクトガラス２２と書籍等の原稿を１枚ずつ読み取る際に原稿を載置する載置読取用コンタクトガラス２３が配される。又、画像読取部２ａ内には、ランプ、ミラー、レンズ、イメージセンサー等（不図示）が配される。イメージセンサーは原稿搬送部２ｂが送り読取用コンタクトガラス２２を通過させる原稿、あるいは、載置読取用コンタクトガラス２３に載置された原稿の反射光を元に、原稿を読み取る。そして、イメージセンサーは反射光を画像濃度に応じたアナログの電気信号に変換し、電気信号の量子化を行う。これにより、原稿の画像データが得られる。尚、本実施形態の画像読取部２ａは、カラーでも読み取り可能であり、白黒でも読み取り可能である。
【００３１】
複合機１００本体内の複数の給紙部３ａはそれぞれ、各サイズ（例えば、Ａ４、Ｂ４等のＡ型、Ｂ型の定型用紙やレターサイズ等）、各種用紙（例えば、コピー用紙、再生紙、厚紙、ＯＨＰシート等）を複数枚収容する。各給紙部３ａはそれぞれ回転駆動する給紙ローラー３１を備え、印刷時、１枚ずつ搬送部３ｂに用紙を送り込む。
【００３２】
搬送部３ｂは給紙部３ａから画像形成部４まで装置内で用紙を搬送する通路である。そして、搬送部３ｂには、用紙の案内のためのガイド板や、用紙搬送時に回転駆動する搬送ローラー対３２（図２おいて、上方から３２ａ、３２ｂ、３２ｃの計３つ）や、搬送される用紙を画像形成部４の手前で待機させ、形成されたトナー像の転写タイミングに合わせ用紙を送り出すレジストローラー対３３等が設けられる。
【００３３】
画像形成部４は、複数の画像形成ユニット４０（ブラック用の４０Ｂｋ、イエロー用の４０Ｙ、シアン用の４０Ｃ、マゼンタ用の４０Ｍ）と露光装置４１を含む。画像形成ユニット４０は回転駆動可能に支持された感光体ドラムや、感光体ドラムの周囲に配設された帯電装置、現像装置、清掃装置等を備える。露光装置４１は画像読取部２ａで読み取られた画像データや後述の記憶装置６２に記憶される画像データ等に基づき、レーザ光を点消灯しつつ出力し、各感光体ドラムを走査露光する。そして、各画像形成ユニット４０と露光装置４１により、各感光体ドラムの周面上にトナー像が形成される。
【００３４】
中間転写部５ａは、各画像形成ユニット４０からトナー像の１次転写を受け、シートに２次転写を行う。中間転写部５ａは、各１次転写ローラー５１Ｂｋ〜５１Ｍ、中間転写ベルト５２、駆動ローラー５３、複数の従動ローラー５４（５４ａ〜５４ｃ）、２次転写ローラー５５、ベルト清掃装置５６等を含む。中間転写ベルト５２は、駆動ローラー５３等に張架され、モータ等の駆動機構（不図示）に接続される駆動ローラー５３の回転駆動により周回する。そして、各１次転写ローラー５１Ｂｋ〜５１Ｍには、転写用電圧が印加され、各感光体ドラムのトナー像は中間転写ベルト５２に転写される。ずれなくトナー像を重畳して中間転写ベルト５２に１次転写した後、所定の電圧を印加された２次転写ローラー５５により、シートにトナー像が転写される。
【００３５】
定着部５ｂは用紙に転写されたトナー像を定着させる。定着部５ｂは発熱体を内蔵する加熱ローラー５７とこれに圧接する加圧ローラー５８を含む。そして、用紙が加熱ローラー５７と加圧ローラー５８のニップを通過すると、トナーが溶融・加熱され、トナー像が用紙に定着する。定着部５ｂから排出された用紙は、排出トレイ３４方向に送られる。
【００３６】
排出搬送部３ｃは印刷済の用紙を排出トレイ３４方向又は両面搬送部３ｄの方向に用紙搬送方向を仕分ける。そして、排出搬送部３ｃは正回転方向に回転駆動して排出トレイ３４の方向に送り出す、或いは、両面印刷のため逆回転しスイッチバックを行う排出ローラー対３５を有する。又、排出搬送部３ｃは、用紙の搬送方向を切り替えるため、切替弁３６を有する。切替弁３６は回動する。切替弁３６は、両面搬送部３ｄを閉じて用紙を排出トレイ３４方向に導く位置を基本位置とし、両面印刷の際、回動してスイッチバックされた片面印刷済みの用紙を両面搬送部３ｄに導く。両面搬送部３ｄは、定着部５ｂの下流側とレジストローラー対３３の上流側とを結ぶ。両面搬送部３ｄには、両面印刷のため、回転駆動する複数の両面搬送ローラー対３７〜３９が設けられ、片面印刷済の用紙が搬送される。
【００３７】
（操作パネル１）
次に、図２を用いて、実施形態に係る操作パネル１の一例を説明する。図２は操作パネル１の一例を示す平面図である。
【００３８】
図１に示すように、操作パネル１は複合機１００の正面上方に設けられる。そして、操作パネル１は表示部１１、タッチパネル部１２、ハードキー（例えば、数字入力用のテンキー部１３やコピー等の処理開始指示用のスタートキー１４等）を含む。
【００３９】
例えば、表示部１１は液晶表示パネルである。表示部１１は有機ＥＬパネルなど他種の表示パネルでもよい。表示部１１は複合機１００の設定を行うためのメニューやキーを表示する。使用者は、表示部１１に表示されたキーを指定して、複合機１００の各種設定を入力できる。又、表示部１１は複合機１００等の状態メッセージ等の各種画像、画面を表示する。
【００４０】
又、表示部１１の上面にタッチパネル部１２が設けられる。タッチパネル部１２は使用者がタッチした位置、座標を検知する。キーの表示位置とタッチされた位置を比較することで、使用者が指定するキーが特定され、使用者の入力が受け付けられる。
【００４１】
タッチパネル部１２は同時にタッチされた複数の位置を認識できる。そのため、タッチパネル部１２には投影型の静電容量方式のタッチパネルを用いることができる。尚、同時にタッチされた複数の位置を認識できればよく、必ずしも、タッチパネル部１２は静電容量方式のものに限られない。
【００４２】
尚、本実施形態の複合機１００はコピー機能、スキャン送信機能、ボックス機能など、複数の機能を有する。従来、操作パネル１には、機能を選択するためのハードキー（例えば、コピーキーや送信キーやボックスキー）が設けられていた。しかし、本実施形態の操作パネル１では簡易な操作で用いる機能を選択することができる。そのため、本実施形態の操作パネル１には、機能を選択するためのハードキーは設けられない（設ける必要がない）。
【００４３】
（複合機１００等のハードウェア構成）
次に、図３を用いて、実施形態に係る複合機１００や操作パネル１のハードウェア構成の一例を説明する。図３は複合機１００や操作パネル１のハードウェア構成の一例を示すブロック図である。
【００４４】
まず、複合機１００本体内には、主制御部６が設けられる。例えば、主制御部６は操作パネル１、原稿搬送部２ｂ、画像読取部２ａ、給紙部３ａ、搬送部３ｂ、画像形成部４、定着部５ｂ、排出搬送部３ｃ等と接続され、これらの制御を行う。
【００４５】
例えば、主制御部６はＣＰＵ６１等の制御を行う素子を含む。ＣＰＵ６１は記憶装置６２に格納され、展開される制御プログラムに基づき演算等を行い、複合機１００の各部を制御する。尚、主制御部６は全体制御や画像処理を行うメイン制御部や、画像形成や各種回転体を回転させるモータ等のＯＮ／ＯＦＦ等を行い、印刷を制御するエンジン制御部等、機能ごとに分割して複数種設けられてもよい。本説明では、これらの制御部を主制御部６としてまとめた形態を示し、説明する。
【００４６】
記憶装置６２は主制御部６と接続される。記憶装置６２はＲＯＭ、ＲＡＭ、ＨＤＤ等の不揮発性と揮発性の装置を組み合わせたものである。記憶装置６２は複合機１００の制御用プログラム、制御用データ、設定データ、画像データ等の各種データを記憶できる。
【００４７】
そして、主制御部６は各種コネクタ、ソケットやＦＡＸモデム等を備えたインターフェイス部（以下、通信部６３）と接続される。通信部６３はネットワークや公衆回線等により複数の外部のコンピューター２００（例えば、パーソナルコンピューターやサーバー）や相手方ＦＡＸ装置３００（図７では、いずれも便宜上１つのみ図示）と接続される。例えば、画像読取部２ａで得られた画像データを記憶装置６２に記憶させることや（ボックス機能）、外部のコンピューター２００や相手方ＦＡＸ装置３００に送信することができる（スキャナ機能、ＦＡＸ機能）。又、外部のコンピューター２００や相手方ＦＡＸ装置３００から送信され、複合機１００に入力される画像データに基づき印刷、ＦＡＸ送信等を行うこともできる（プリンター機能、ＦＡＸ機能）。
【００４８】
又、例えば、主制御部６には、画像読取部２ａで原稿を読み取って得られた画像データや通信部６３を介して複合機１００に入力された画像データに対し、画像処理を施す画像処理部６４が設けられる。画像処理部６４が処理した画像データは、例えば、露光装置４１に送信され、感光体ドラムの走査・露光に用いられたり、記憶装置６２に記憶されたりする。
【００４９】
又、主制御部６は、操作パネル１になされた入力を認識し、使用者の設定にあわせてコピーやスキャンなどのジョブが行われるように複合機１００を制御する。本実施形態の操作パネル１はパネル制御部１０（判断部に相当）、表示部１１、タッチパネル部１２、ハードキー（例えば、テンキー部１３やスタートキー１４）、メモリー１５、ドライバ回路１６、等を含む。パネル制御部１０はＣＰＵやＩＣ等で構成される。パネル制御部１０は表示部１１の表示を制御し、タッチパネル部１２の出力を受け、タッチされた位置（座標）を特定する。タッチパネル部１２の出力と位置（座標）の対応を示すテーブル等のデータは、メモリー１５に記憶される。パネル制御部１０はタッチ位置とタッチされたときの表示部１１が表示していた画面の画像データを比較し、タッチされた位置に表示されていたキーを認識する。これにより、パネル制御部１０は使用者により指定されたキーを認識する。
【００５０】
通常の操作において、複合機１００の各機能を選択し、選択した機能で設定可能な設定項目（例えば、コピー機能であれば、拡大縮小や濃度や集約や両面等）を選択し、選択した設定項目で設定値を設定するには、表示部１１における最上層の表示（ホーム画面７、図４参照）から、表示部１１に表示されるキーの指定（選択）を繰り返す。そして、キーの指定（選択）ごとに表示部１１の表示画面を切り換え、最終的に、設定しようとする機能の設定値が設定される。この機能の選択、設定が行われたことをパネル制御部１０は認識し、その内容を本体の主制御部６に送信する。これにより、主制御部６は使用者の意思が印刷等のジョブで反映されるように操作パネル１で選択、設定された機能を反映した動作を画像形成部４等の各部に行わせる。
【００５１】
そして、表示部１１で表示される画面、画像の画像データは、例えば、操作パネル１内のメモリー１５が記憶する。従って、パネル制御部１０はタッチされた位置に表示されたキーに応じて、次に表示すべき画面や画像の画像データをメモリー１５から読み出す。尚、表示部１１が表示する画面、画像の画像データは本体側の記憶装置６２に記憶させてもよい。この場合、操作パネル１は表示部１１で表示を行うための画像データを、主制御部６を介し記憶装置６２から受ける。いずれにしても、パネル制御部１０は表示部１１の表示を実際に制御するドライバ回路１６（例えば、表示部１１が液晶表示パネルであれは、液晶ドライバＩＣ）に指示を与え、画像データに基づき表示部１１に表示を行わせる。尚、操作パネル１には、パネル制御部１０、メモリー１５を設けず、主制御部６の構成（ＣＰＵ６１や記憶装置６２）が、パネル制御部１０やメモリー１５の機能を代用しても良い。
【００５２】
又、タッチパネル部１２にはタッチされた位置を検知するための位置検知部１２１が設けられる。例えば、位置検知部１２１はタッチ位置を検知するためのＩＣである。例えば、タッチパネル部１２が静電容量方式で投影型のパネルを含むのであれば、位置検知部１２１はタッチパネル部１２で静電容量の変化を検知し、１又は複数の同時にタッチされた位置を示す信号を出力する。パネル制御部１０は位置検知部１２１の出力に基づき、タッチされた位置を認識する。
【００５３】
（ホーム画面７と機能の選択）
次に、図４〜図７を用いて、本実施形態の操作パネル１に表示されるホーム画面７を説明する。図４は操作パネル１に表示されるホーム画面７の一例を示す説明図である。図５はコピー機能の初期設定画面７１の一例を示す説明図である。図６はボックス機能の初期設定画面７２の一例を示す説明図である。図７はスキャン送信機能の初期設定画面７３の一例を示す説明図である。
【００５４】
本実施形態の操作パネル１では、用いる機能を選択するためのホーム画面７が設けられる。例えば、操作パネル１に設けられたクリアキー１７やリセットキー１８が押されたとき（図２参照）、パネル制御部１０はホーム画面７を表示部１１に表示させる。又、例えば、操作パネル１に対する入力（タッチパネル部１２へのタッチやハードキーを押す操作）が無くなってから予め定められた時間が経過すると、パネル制御部１０は現状の設定内容を破棄しホーム画面７を表示部１１に表示させてもよい（オートクリア）。
【００５５】
ホーム画面７は階層的に最上位の階層にあたる。例えば、ホーム画面７では、機能選択キーとして、コピーキーＫ１、アプリケーションキーＫ２、ボックスキーＫ３、プログラムキーＫ４、スキャン送信キーＫ５、状況確認キーＫ６が設けられる。タッチパネル部１２はタッチされた位置を示すデータ（信号）をパネル制御部１０に出力する。パネル制御部１０はタッチパネル部１２の出力モードに基づき、タッチされた位置に表示されている機能選択キーの機能が指定されたと認識する。そして、指定された機能の初期設定画面を表示する。例えば、コピー機能が指定されたと認識したとき、パネル制御部１０はコピー機能の初期設定画面７１を表示する。このように、使用者はホーム画面７で使用する機能を選択できる。
【００５６】
ここで、図５〜図７を用いて、各機能の初期設定画面の一例を説明する。まず、図５を用いて、コピー機能の初期設定画面７１を説明する。
【００５７】
コピー機能が指定されたとき、パネル制御部１０はコピー機能の最初の設定画面として初期設定画面７１を表示部１１に表示させる。図５に示すように、例えば、コピー機能の初期設定画面７１には、よく用いられる設定項目の設定を行うための複数の簡単設定キーＫ７〜Ｋ１２が設けられる。図５では、「用紙選択」の設定項目の簡単設定キーＫ７や「拡大／縮小」の設定項目の簡単設定キーＫ８等が表示されている例を示している。
【００５８】
又、初期設定画面７１に表示されない設定項目（例えば、枠消しの設定項目や余白の設定項目や読取解像度の設定項目や原稿種類の設定項目など多数）を設定するには、簡単設定タブＴＢ１に並ぶ原稿／用紙／仕上げタブＴＢ２や、カラー／画質タブＴＢ３や、レイアウト編集タブＴＢ４や、応用／その他タブＴＢ５やプログラムタブＴＢ６が表示されている位置をタッチする。それぞれの設定項目はいずれかのタブに予め関連づけられる。タブが表示された位置がタッチされると、パネル制御部１０はタッチにより指定されたタブに関連づけられた設定項目の設定キーを一覧的に表示した設定画面を表示部１１に表示させる。
【００５９】
例えば、原稿／用紙／仕上げタブＴＢ２が表示された位置がタッチされると、パネル制御部１０は原稿サイズや用紙サイズや、原稿や用紙の向きや、給紙元など、原稿や用紙に関する設定項目を示すキーを含む設定画面を表示部１１に表示させる。カラー／画質タブＴＢ３が表示された位置がタッチされると、パネル制御部１０は、印刷色（カラーかモノクロか等）や、解像度や、各色（ブラック、シアン、マゼンタ、イエロー）の濃淡調整など、色や画質に関する設定項目を示すキーを含む設定画面を表示部１１に表示させる。又、レイアウト編集タブＴＢ４が表示された位置がタッチされると、パネル制御部１０は集約印刷や両面印刷など、画像の配置や画像データの編集に関する設定項目を示すキーを含む設定画面を表示部１１に表示させる。又、応用／その他タブＴＢ５が表示された位置がタッチされると、パネル制御部１０は余白の大きさや枠消し処理など、応用的な内容に関する設定項目を示すキーを含む設定画面を表示部１１に表示させる。
【００６０】
そして、使用者はタブの表示位置をタッチし、その後に表示されたいずれかの設定項目の設定キーの表示位置をタッチし、設定項目を指定する。これにより、パネル制御部１０は指定された設定項目の設定画面を表示する。例えば、集約印刷の設定項目を指定したとき、集約印刷の設定画面では、２ｉｎ１や４ｉｎ１などの設定値を設定することができる。このように、設定画面を切り替えつつ、使用者は所望の設定項目について設定値を設定できる。
【００６１】
次に、図６を用いて、ボックス機能の初期設定画面７２を説明する。
【００６２】
ボックス機能が指定されたとき、パネル制御部１０はボックス機能の最初の設定画面として初期設定画面７２を表示部１１に表示させる。記憶装置６２（ＨＤＤ）の記憶領域の一部がボックス機能用に割り当てられる。そして、割り当てられた記憶領域をボックス単位で仮想的に分割する。例えば、使用者はボックス内に画像データを記憶させたり、ボックス内に記憶させた画像データを再利用（印刷や送信等）したりすることができる。
【００６３】
初期設定画面７２ではボックス名一覧表示領域Ｒ１が設けられる。ボックス名一覧表示領域Ｒ１内をタッチすることにより、用いたいボックスを指定することができる。そして、ボックスを指定した後、文書保存キーＫ１３が表示された位置をタッチすることで、画像読取部２ａで原稿を読み取ることにより得られた画像データを指定したボックス（記憶装置６２のＨＤＤ）内に記憶させることができる。尚、文書保存キーＫ１３が指定されると、パネル制御部１０はスキャン内容の設定画面（例えば、解像度や原稿サイズや読み取りで得られる画像データのサイズを設定するための画面）を表示させ、使用者に原稿読み取りや画像データのボックスへの格納に関する設定を行わせる。又、ボックスを指定した後、開くキーＫ１４が表示された位置をタッチすることで、ボックス内に格納されている画像データ等の印刷や送信を行うことができる。尚、開くキーＫ１４が指定されると、パネル制御部１０はボックス内の利用（印刷や送信）に関する設定画面（例えば、両面や集約や送信宛先などを設定するための画面）を表示させ、ボックス内のデータの再利用に関する設定を行わせる。
【００６４】
次に、図７を用いて、スキャン送信機能の初期設定画面７３を説明する。
【００６５】
スキャン送信機能が指定されたとき、パネル制御部１０はスキャン送信機能の最初の設定画面として図７に示すような初期設定画面７３を表示部１１に表示させる。スキャン送信機能は、原稿を読み取り、読み取りで得られた原稿の画像データを、Ｅメールとして送信したり、所望のコンピューター２００ーに送信したり、ＦＡＸ装置３００に送信したりする機能である。
【００６６】
初期設定画面７３として、パネル制御部１０は例えばアドレス帳を表示部１１に表示させる。初期設定画面７３では、宛先名称や宛先情報を一覧として表示する宛先一覧表示領域Ｒ２が設けられる。宛先一覧表示領域Ｒ２内をタッチすることにより、送信したい宛先を指定することができる。そして、宛先を指定した後、送信方法指定キー群ＫＧ１のうち、送信したい方法のキーが表示された位置をタッチすることで、送信方法を指定することができる。送信方法が指定されると、パネル制御部１０は送信方法に応じ、送信を行ううえで詳細を設定するための設定画面（例えば、送信する画像データのサイズなどを設定するための画面）を表示させ、送信に関する使用者に設定を行わせる。
【００６７】
尚、図示はしないが、アプリケーション機能が指定されると、パネル制御部１０は記憶装置６２にインストールされたアプリケーションの呼び出しや設定を行うための初期設定画面を表示部１１に表示させる。例えば、アプリケーションは複合機１００の使いやすさを高めるためのプログラムやデータである。例えば、名刺等の原稿をスキャンした画像データのテキストデータ化やデータベース化を行うアプリケーションや、原稿をスキャンしたデータの電子文書化を行うアプリケーションなど、目的に合わせ多様なアプリケーションがある。
【００６８】
又、プログラム機能が指定されると、パネル制御部１０は予め定められたプログラムの呼び出し（起動）や、プログラムの作成を行うための初期設定画面を表示部１１に表示させる。プログラムは操作パネル１での１又は複数の設定項目の設定値を予め定義したものである。例えば、良く組み合わせて用いられる各設定項目の設定値がプログラムとして予め定義される（予め登録される）。プログラムを呼び足すことで、パネル制御部１０は呼び出されたプログラムで定義された各設定項目の設定値で設定がなされたと認識する。これにより、１タッチで複数の設定項目の設定値を設定した状態とすることができる。
【００６９】
又、状況確認キーＫ６が指定されると、パネル制御部１０は複合機１００の状態を表示するための状態表示画面を表示部１１に表示させる。例えば、パネル制御部１０は状態表示画面内に、印刷中や原稿読み取り中など、実行中のジョブの内容を表示部１１に表示させる。又、パネル制御部１０は状態表示画面内に累計印刷枚数や各給紙部３ａでの用紙残量などを表示部１１に表示させてもよい。あるいは、パネル制御部１０は記憶装置６２の使用量や残容量など、複合機１００内の装置、部分に関する状態を表示部１１に表示させてもよい。
【００７０】
（タッチされている２点の位置関係の判別）
次に、図８、図９を用いて、タッチされている２点の位置関係の判断手法を説明する。図８は２点の角度に基づきタッチされている２点の縦と横の位置関係の判断の一例を示す説明図である。図９は２点の距離に基づきタッチされている２点の縦と横の位置関係の判断の一例を示す説明図である。
【００７１】
上述のように、本実施形態の複合機１００では、表示部１１に表示されるホーム画面７で用いる機能を指定することができる。そのため、本実施形態の操作パネル１では、コピー機能やスキャン送信機能など、機能を選択するためのハードキーが設けられない。しかし、コピー機能について設定している状態からスキャン送信機能の設定画面に移動したいときなど、異なる機能の設定画面に移動するには、一度、ホーム画面７に戻らなくてはならない。
【００７２】
そこで、本実施形態の操作パネル１では、ある機能の設定画面から他の機能の設定画面に直接移る（ジャンプ）できるようにするための機能選択メニュー８を表示する（図１２参照）。タッチパネル部１２が同時に２点のタッチを受け付けると、パネル制御部１０は機能選択メニュー８を表示部１１に表示させる。言い換えると、２点タッチがあったとき、機能選択メニュー８が呼び出される。
【００７３】
詳細は後述するが、本実施形態の操作パネル１では、機能選択メニュー８を用いやすいように、タッチされた２点の位置関係に応じ、パネル制御部１０は表示態様を変えて機能選択メニュー８を表示部１１に表示させる。そこで、まず、タッチされた２点の位置関係の判断を説明する。
【００７４】
パネル制御部１０は、タッチされた２点が縦方向であるか、横方向であるかの位置関係の判断を行う。まず、パネル制御部１０はタッチパネル部１２の出力に基づき、同時にタッチされた２点の位置（座標）を認識する。
【００７５】
そして、パネル制御部１０はタッチされている２点が縦方向であるか横方向であるか、２点の角度に基づき判断する。具体的には、図８に示すように、パネル制御部１０はタッチされている２点のうち、一方の点を基準点Ｐ０とする。２点のうちいずれを基準点Ｐ０とするかは任意に定めることができるが、例えば、パネル制御部１０は２点のうち、縦方向において、下方（上方でもよい）に位置する点を常に基準点Ｐ０として扱ってもよい。
【００７６】
そして、パネル制御部１０は基準点Ｐ０に対し、他方の点が予め定められた角度範囲に含まれるか否かにより、タッチされた２点が縦方向であるか横方向であるかを判断する。図８では、基準点Ｐ０を中心として、−４５°〜４５°の範囲（網掛けで示す角度範囲θ１）と、１３５°〜２２５°の範囲（網掛けで示す角度範囲θ２）が予め定められた角度範囲として示している。尚、予め定められた角度範囲は適宜定めることができる。
【００７７】
図８を用いて、例を説明する。基準点Ｐ０に対し、図８の点Ｐ１は予め定められた角度範囲に含まれる（収まる）。この場合、パネル制御部１０はタッチされた２点（基準点Ｐ０と点Ｐ１）は横方向の位置関係にあると判断する。一方、図８の例では、基準点Ｐ０に対し、図８の点Ｐ２は予め定められた角度範囲に含まれない（収まらない）。この場合、パネル制御部１０はタッチされた２点（基準点Ｐ０と点Ｐ２）は縦方向の位置関係にあると判断する。
【００７８】
又、パネル制御部１０はタッチされている２点が縦方向であるか横方向であるか、２点の縦方向での距離と横方向での距離の長短に基づき判断してもよい。具体的には、図９に示すように、パネル制御部１０はタッチされている２点の横方向の距離（横方向距離Ｘ１）と縦方向の距離（縦方向距離Ｙ１）を比較する。そして、パネル制御部１０は横方向距離Ｘ１の方が長ければ、タッチされた２点の位置関係は横方向と判断する。一方、パネル制御部１０は縦方向距離Ｙ１の方が長ければ、タッチされた２点の位置関係は縦方向と判断する。
【００７９】
（位置関係が縦方向であるときの機能選択メニュー８の表示）
次に、図１０〜図１２を用いて、タッチされた２点の位置関係が縦方向であるときの機能選択メニュー８の表示の一例を説明する。図１０は縦方向での２点タッチの一例を示す説明図である。図１１は縦方向での２点タッチに応じて表示される機能選択メニュー８の一例を示す説明図である。図１２は機能選択メニュー８内で選択されている機能の変更操作の一例を示す説明図である。
【００８０】
ある機能の設定画面（図１０〜図１２では、コピー機能の初期設定画面７１を一例として図示）で、別の機能の設定画面を表示させたいとき、使用者はタッチパネル部１２で２点を同時にタッチする。図１０〜図１２では、親指と人差し指で２点タッチを行う例を示している。
【００８１】
タッチパネル部１２が同時に２点、タッチされていることを受け付けると、タッチされた位置を示すデータがパネル制御部１０に入力される。そして、図１０に示すように、タッチされた２点の位置関係が縦方向であるとき、パネル制御部１０は機能を示す画像である機能キー画像９（機能を示す画像に相当）を複数個横方向に一列に並べた機能選択メニュー８を表示部１１に表示させる。
【００８２】
図１１に示す例では、機能選択メニュー８に、機能キー画像９として、コピー機能を示す機能キー画像９１と、アプリケーション機能を示す機能キー画像９２と、ボックス機能を示す機能キー画像９３と、プログラム機能を示す機能キー画像９４と、スキャン送信機能を示す機能キー画像９５と、状況確認機能を示す機能キー画像９６が含まれる例を示している。例えば、機能選択メニュー８に機能キー画像９として表示される機能はホーム画面７で選択できる機能と同じとされる。
【００８３】
そして、図１１や図１２に示すように、パネル制御部１０は機能選択メニュー８のうち選択されている状態の機能キー画像９と、選択されていない状態の機能キー画像９とが異なる態様となるように、表示部１１に表示させる。例えば、図１１や図１２に示すように、パネル制御部１０は選択されている状態の機能キー画像９を、選択されていない状態の機能キー画像９とは違う色で表示させたり、選択されている機能キー画像９の輪郭を強調させたりする修飾表示を表示部１１に行わせる。
【００８４】
そして、選択されている状態の機能キー画像９を変更したい場合、使用者はタッチしている２点のうち１点を固定しつつ（一方の指を動かさないようにしつつ）、タッチパネル部１２にタッチしている他方の１点を横方向（左右方向）で移動させる操作を行う（他方の指を動かす）。図１２では、親指を固定し、人差し指を動かす例を示している。例えば、パネル制御部１０は移動させられた１点が固定されている１点よりも右側であれば（親指よりも人差し指が右側であれば）左から右に向けて、左側であれば（親指よりも人差し指が左側であれば）右から左に向けて順番に選択されている機能キー画像９を変更する。言い換えると、タッチパネル部１２にタッチしている１点の横方向（左右方向）への移動方向に応じて順番に変更しつつ、パネル制御部１０は修飾表示を行う機能キー画像９を表示部１１に変更させる。
【００８５】
そして、異なる機能に直接的に移動するとき、使用者は呼び出したい（移動したい）機能の機能キー画像９が選択されている状態でタッチパネル部１２から２本の指を離す。タッチパネル部１２はタッチされている点が無くなったことを、機能選択メニュー８内で選択状態にあった機能キー画像９に対応する機能への移動を指示する入力として受け付ける。言い換えると、パネル制御部１０はタッチパネル部１２がタッチされなくなったときに選択された状態にあった機能キー画像９に対応する機能の初期設定画面を表示部１１に表示させる。これにより、ホーム画面７に戻らずに所望の機能に移動することができる。
【００８６】
尚、機能選択メニュー８内で選択状態にあった機能キー画像９に対応する機能への移動を指示する入力は、２点をタッチパネル部１２から離すことではなく、予め定められた他の操作でもよい。例えば、タッチパネル部１２はタッチされた２点のいずれもが移動したことや、ダブルクリック的に同じ又は極めて近い位置でタッチが短時間の間に繰り返されたことを、タッチパネル部１２は選択されていた機能キー画像９に対応する機能への移動を指示する入力として受け付けてもよい。
【００８７】
（位置関係が横方向であるときの機能選択メニュー８の表示）
次に、図１３〜図１５を用いて、タッチされた２点の位置関係が横方向であるときの機能選択メニュー８の表示の一例を説明する。図１３は横方向での２点タッチの一例を示す説明図である。図１４は横方向での２点タッチに応じて表示される機能選択メニュー８の一例を示す説明図である。図１５は機能選択メニュー８内で選択されている機能の変更操作の一例を示す説明図である。
【００８８】
ある機能の設定画面（図１３〜図１５でもコピー機能の設定画面を一例として表示）で別の機能の設定画面を表示させたいとき、使用者はタッチパネル部１２で２点を同時にタッチする。図１３〜図１５では、人差し指と中指で２点タッチを行う例を示している。
【００８９】
タッチパネル部１２が同時に２点、タッチされていることを受け付けると、タッチされた位置を示すデータがパネル制御部１０に入力される。そして、タッチされた２点の位置関係が図１３に示すように横方向であるとき、パネル制御部１０は機能キー画像９を複数個縦方向に一列に並べた機能選択メニュー８を表示部１１に表示させる。
【００９０】
図１４に示す例でも、機能選択メニュー８に、コピー機能を示す機能キー画像９１と、アプリケーション機能を示す機能キー画像９２と、ボックス機能を示す機能キー画像９３と、プログラム機能を示す機能キー画像９４と、スキャン送信機能を示す機能キー画像９５と、状況確認機能を示す機能キー画像９６が含まれる例を示している。
【００９１】
そして、図１４や図１５に示すように、パネル制御部１０は、機能選択メニュー８のうち選択されている状態の機能キー画像９と、選択されていない状態の機能キー画像９とが異なる態様となるように、表示部１１に表示させる。例えば、図１４や図１５に示すように、横方向に機能キー画像９を並べる場合と同様、パネル制御部１０は選択されていない状態の機能キー画像９と異なるように、選択されている状態の機能キー画像９の修飾表示を表示部１１に行わせる。
【００９２】
そして、選択されている状態の機能キー画像９を変更したい場合、図１５に示すように、使用者はタッチしている２点のうち１点を固定しつつ（一方の指を動かさないようにしつつ）、タッチパネル部１２にタッチしている他方の１点を縦方向（上下方向）で移動させる操作を行う（他方の指を動かす）。図１５では、親指を固定し、人差し指を動かす例を示している。例えば、パネル制御部１０は移動させられた１点が固定されている１点よりも上側であれば（人差し指よりも中指が上側であれば）下から上に向けて、下側であれば（人差し指よりも中指が下側であれば）上から下に向けて順番に選択されている機能キー画像９を変更する。言い換えると、タッチパネル部１２にタッチしている１点の縦方向（上下方向）への移動方向に応じて順番に変更しつつ、パネル制御部１０は修飾表示を行う機能キー画像９を表示部１１に変更させる。
【００９３】
そして、２点のタッチ位置の位置関係が横にある場合でも、異なる機能の設定画面に直接的に移動するとき、使用者は呼び出したい（移動したい）機能の機能キー画像９が選択されている状態でタッチパネル部１２から２本の指を離す。タッチパネル部１２はタッチされている点が無くなったことを、機能選択メニュー８内で選択状態にあった機能キー画像９に対応する機能への移動を指示する入力として受け付ける。これにより、ホーム画面７に戻らずに所望の機能の設定画面に移動することができる。例えば、パネル制御部１０は選択状態にあった機能キー画像９に対応する機能の初期設定画面を表示部１１に表示させる。
【００９４】
ここで、タッチパネル部１２を２点同時にタッチするとき、どの指を用いるかは個人差がある。親指と人差し指の組み合わせを用いる人もいれば、人差し指と中指の組み合わせを用いる人もいれば、他の２本の指の組み合わせを用いる人もいる。
【００９５】
２点タッチの後、２点タッチに用いた指のうち、一方の指を固定しつつ（一方のタッチ位置をほぼ固定しつつ）、１本だけ指を動かすとき（他方のタッチ位置を移動させるとき）、２点タッチに用いた指の位置関係により、指が動かしやすい方向が異なる。そこで、本実施形態の操作パネル１では、パネル制御部１０は同時にタッチされた２点の位置関係が縦方向であるか横方向であるかを判断する。そして、パネル制御部１０は判断結果に応じ、一方の指を動かさないようにしつつ（一方のタッチ位置を移動させないようにしつつ）、他方の１本の指が動かしやすい方向（他方のタッチ位置を移動させやすい方向）に沿って機能キー画像９が並べられた機能選択メニュー８を表示する。これにより、他方の指でタッチ位置をずらし（他方のタッチ位置を移動させて）、直感的に機能を選択する操作を行うことができる。このように、直感的な操作により、使用者は移動したい（使用したい）機能に対応する機能キー画像９を容易に選択できる。
【００９６】
（２点タッチ時の機能選択の処理の流れ）
次に、図１６を用いて、２点タッチがあったときの機能選択の処理の流れの一例を説明する。図１６は２点タッチがあったときの機能選択の処理の流れの一例を示すフローチャートである。
【００９７】
まず、図１６のスタートはいずれかの機能（コピー機能やボックス機能やスキャン送信機能等）の設定画面で２点のタッチが同時にあったことをタッチパネル部１２が受け付けた（検知した）時点である。
【００９８】
まず、パネル制御部１０はタッチパネル部１２の出力に基づき、２点のうち少なくとも１点が予め定められた時間を超えてタッチされ続けているか否かを確認する（ステップ♯１）。タッチパネル部１２は周期的にタッチされた位置を検知している。そして、使用者は機能選択メニュー８を用いて所望の機能の設定画面にジャンプする操作を行うとき、２点のうち１点はタッチし続けておく（２点のうち１点はタッチ位置がほぼ固定しておく）ことを認識している（知っている）。そこで、２点のうち少なくとも１点が予め定められた時間を超えてタッチされ続けているか否かを確認することにより、使用者が機能選択メニュー８で設定画面のジャンプを行うつもりであるか否かを確認する。予め定められた時間は任意に定めることができるが、例えば、０．５秒から１秒程度の範囲で定めてもよい。
【００９９】
もし、短時間（予め定められた時間を超えないで）で２点のいずれもタッチされない状態となれば（ステップ♯１のＮｏ）、機能選択メニュー８を使うつもりがないのに誤って２点タッチしてしまったことが考えられる。このような場合、処理は終了すればよい（エンド）。
【０１００】
一方、少なくとも１点がタッチされている時間が予め定められた時間を超えれば（ステップ♯１のＹｅｓ）、パネル制御部１０はタッチパネル部１２の出力に基づき、タッチされている２点の位置関係が縦方向であるかを確認する（ステップ♯２）。
【０１０１】
もし、縦方向であれば（ステップ♯２のＹｅｓ）、パネル制御部１０は機能キー画像９を横方向に一列に並べた機能選択メニュー８を表示部１１に表示させる（ステップ♯３）。一方、横方向であれば（ステップ♯２のＮｏ）、パネル制御部１０は機能キー画像９を縦方向に一列に並べた機能選択メニュー８を表示部１１に表示させる（ステップ♯４）。
【０１０２】
そして、タッチパネル部１２はタッチされた２点のうち固定されていない１点の位置を移動させる操作（使用者が機能選択のために行う操作）を選択されている機能を変更する入力として受け付ける（ステップ♯５）。そして、パネル制御部１０はタッチパネル部１２の出力に基づき、固定されていない１点の位置の移動方向を認識し、機能選択メニュー８内で選択状態である旨の表示（装飾表示）をする機能キー画像９を表示部１１に切り替えさせ、選択されている機能を変更する（ステップ♯６）。
【０１０３】
そして、パネル制御部１０はタッチパネル部１２の出力に基づき、機能選択メニュー８で選択した機能への移動を実行する旨の操作がなされたか否かを確認する（ステップ♯７）。例えば、パネル制御部１０はタッチパネル部１２がタッチされている点が無くなったことを検知したか否かを確認する（ステップ♯７）。もし、選択した機能への移動を実行する旨の操作がなされていなければ（ステップ♯７のＮｏ）、フローはステップ♯６に戻る。
【０１０４】
一方、選択した機能への移動を実行する旨の操作がなされば（ステップ♯７のＹｅｓ）、パネル制御部１０は機能選択メニュー８で選択されていた機能の初期設定画面を表示部１１に表示させる（ステップ♯８）。そして、本フローは終了する（エンド）。
【０１０５】
２点タッチのときの指の配置は様々であるところ、タッチされた２点が縦方向であれば、２点をタッチした指（例えば、親指と人差し指）をタッチパネル部１２に触れさせつつ（２点がタッチされ続けていて）、一方をほぼ固定して他方の指を動かすとき、払うように他方の指を動かせるので、横方向に他方の指は動かしやすい。又、同様に、タッチされた２点が横方向であれば、２点をタッチした指（例えば、人差し指と中指）をタッチパネル部１２に触れさせつつ、一方を固定して他方の指を動かすときは、縦方向に他方の指は動かしやすい。
【０１０６】
そこで、本実施形態に係る表示入力装置（操作パネル１）は画像を表示する表示部１１と、表示部１１に対して設けられ、使用者の入力を受け付け、複数のタッチされている位置を検知するためのタッチパネル部１２と、を含み、タッチパネル部１２で同時に２点のタッチがあったとき、表示部１１はタッチされた２点の位置関係が縦方向であるとき、機能を示す画像（機能キー画像９）を複数個横方向に一列に並べた機能選択メニュー８を表示し、タッチされた２点の位置関係が横方向であるとき、機能を示す画像を複数個縦方向に一列に並べた機能選択メニュー８を表示し、タッチパネル部１２はタッチされた２点のうち１点の位置を移動させる操作を、機能選択メニュー８内で選択されている機能を変更する入力として受け付ける。
【０１０７】
これにより、２点タッチを行うという簡易な操作だけで機能選択メニュー８を呼び出すことができる。又、２点タッチされたときの指の配置に応じて、指を動かしやすい方向に沿って機能選択メニュー８を表示することができる。そして、機能選択メニュー８から機能を選択するとき、指を動かすべき方向は機能選択メニュー８の表示の方向（長手方向）であると使用者に直感的に認識させることができる。そして、一方の指をほぼ固定したまま、使用者は動かしやすい方向にタッチパネル部１２を一方の指でなぞる操作を行えば、機能選択メニュー８のうち選択されている状態の機能を所望の機能に変更することができる。
【０１０８】
従って、使用者は２点タッチから連続して機能を選択する入力を行うことができる。又、機能を選択する操作で使用者に負担がかからない。又、その時々で２点タッチの指の配置や用いる指が異なっても、２点タッチの使用者の癖に柔軟に対応しつつ、指使いが容易となるように機能選択メニュー８を表示することができる。又、機能選択メニュー８を使いやすくするために、使用者ごとに機能選択メニュー８の表示方向を設定する必要も無い。又、機能選択メニュー８の表示方向を気にせずに気軽に所望の機能を選択することができる。又、機能選択メニュー８によって所望の機能を選択できるので、機能選択メニュー８で選択できる機能のハードキーを設ける必要が無く、表示入力装置（操作パネル１）の製造コストを下げ、表示入力装置を小型化することができる。
【０１０９】
又、タッチパネル部１２は、タッチされている点が無くなったこと、又は、予め定められた入力操作を、機能選択メニュー８内で選択状態にあった機能への移動を指示する入力として受け付ける。これにより、使用者が一方の指をほぼ固定しつつ、他方の指を動かして選択状態にした機能の設定画面を表示部１１に表示させることができる。
【０１１０】
又、表示部１１は最上位の階層に位置する画面として、実行する機能を選択するためのキーを複数含むホーム画面７を表示し、キーが表示されている位置がタッチされることにより実行する機能の指定をタッチパネル部１２が受け付けたとき、実行が指定された機能の設定画面を表示する。これにより、ホーム画面７で使用したい機能を入力する表示入力装置（操作パネル１）において、ホーム画面７を経ないで、２点タッチにより呼び出した機能選択メニュー８を用いて、所望する機能の設定画面に移動することができる。例えば、コピー機能や送信機能など、用いる機能を選択するホーム画面７が設けられていても、機能選択メニュー８を用いることで、カテゴリーの異なる機能の設定画面に直接移動することができる。
【０１１１】
又、表示入力装置（操作パネル１）はタッチされた２点の位置関係を認識するための判断部（パネル制御部１０）を含み、判断部はタッチされた２点のうち一方の点を基準点Ｐ０とし、基準点Ｐ０に対する他方の点が予め定められた角度範囲（角度範囲θ１、角度範囲θ２）内に含まれるか否かによってタッチされた２点の位置関係が縦方向であるか横方向であるかを判断し、表示部１１は判断部の判断結果に応じて機能選択メニュー８を表示する。これにより、適切にタッチされた２点の位置関係（縦方向であるか横方向であるか）を判断することができる。
【０１１２】
又、表示入力装置（操作パネル１）はタッチされた２点の位置関係を認識するための判断部（パネル制御部１０）を含み、判断部はタッチされた２点の縦方向での距離（縦方向距離Ｙ１）と横方向での距離（横方向距離Ｘ１）を比較し、横方向での距離の方が長ければ２点の位置関係が横方向であると判断し、縦方向での距離の方が長ければ２点の位置関係が縦方向であると判断し、表示部１１は判断部の判断結果に応じて機能選択メニュー８を表示する。これにより、適切にタッチされた２点の位置関係（縦方向であるか横方向であるか）を判断することができる。
【０１１３】
又、画像形成装置（例えば、複合機１００）は、実施形態に係る表示入力装置（操作パネル１）を含む。これにより、画像形成装置は使いやすい表示入力装置（操作パネル１）を含む。従って、使用者にとって使いやすい画像形成装置を提供することができる。
【０１１４】
次に、他の実施形態を説明する。上記の実施形態では、パネル制御部１０がタッチされた位置が縦方向であるかを認識し、タッチパネル部１２の出力に基づきタッチされた位置を認識し、表示部１１の表示制御を行う例を説明した。しかし、これらのパネル制御部１０の処理を主制御部６で行うようにしてもよい。
【０１１５】
本発明の実施形態を説明したが、本発明の範囲はこれに限定されるものではなく、発明の主旨を逸脱しない範囲で種々の変更を加えて実施することができる。
【産業上の利用可能性】
【０１１６】
本発明は、操作パネル１等の表示部１１と入力部を有する表示入力装置や、画像形成装置に利用可能である。
【符号の説明】
【０１１７】
１      操作パネル（表示入力装置）    １０    パネル制御部（判断部）
１１    表示部                        １２    タッチパネル部
７      ホーム画面                    ８      機能選択メニュー
９（９１〜９６）    機能キー画像（機能を示す画像）
１００  複合機（画像形成装置）        θ１    角度範囲
θ２    角度範囲                      Ｘ１    横方向距離
Ｙ１    縦方向距離
【図１】
0005594910.tif 000002
【図２】
0005594910.tif 000003
【図３】
0005594910.tif 000004
【図４】
0005594910.tif 000005
【図５】
0005594910.tif 000006
【図６】
0005594910.tif 000007
【図７】
0005594910.tif 000008
【図８】
0005594910.tif 000009
【図９】
0005594910.tif 000010
【図１０】
0005594910.tif 000011
【図１１】
0005594910.tif 000012
【図１２】
0005594910.tif 000013
【図１３】
0005594910.tif 000014
【図１４】
0005594910.tif 000015
【図１５】
0005594910.tif 000016
【図１６】
0005594910.tif 000017